【手続補正書】
【提出日】平成20年5月27日(2008.5.27)
【手続補正１】
【補正対象書類名】明細書
【補正対象項目名】特許請求の範囲
【補正方法】変更
【補正の内容】
【特許請求の範囲】
【請求項１】  相互間隔を有する有利には２つのコラム−側面から成る機械フレームと、定置のプレスビームと、少なくとも２つの駆動装置を備えた駆動配置構造を介して案内配置構造内で移動調節可能なプレスビームと、これらのプレスビームの、互いに向かい合った受圧面にプレス加工工具を保持するための加工工具緊締装置と、駆動配置構造と接続された制御装置と、工作物を製作する際に生じる機械データを検出するため、かつ場合によっては工作物データを検出するための測定装置とを備えた、曲げプレス特にプレスブレーキを運転する方法であって、工作物の変形加工過程の間に、移動調節可能なプレスビームのための駆動配置構造の駆動装置ごとに実際−プレス力を求め、力特性から、プレスビームの長さに対する単数もしくは複数のプレス加工工具の相対位置を特定する方法において、
生産データおよび機械データのためのデータメモリを備えた評価兼計算ユニットまたは評価もしくは計算ユニットにおいて、駆動装置もしくは移動調節可能なプレスビームの様々な移動調節距離を、駆動装置の各作用点で、生じる変形加工力の位置と、変形加工力と、曲げプレスの、形成された曲げ線とを計算によって求めることから特定し、適当な制御信号を、駆動配置構造のための制御装置に発生させ、駆動装置の調節エレメントを、駆動装置ごとに求められた移動調節距離だけ移動調節することを特徴とする、曲げプレスを運転する方法。
【請求項２】  各駆動装置によって作用するプレス力を求め、この値に加えて、曲げプレスの、データメモリに格納された変形データ特に弾性的な拡開データおよび／または曲げデータの、前記値に相関する値を求め、各駆動装置もしくは調節エレメントの調節距離を規定する、請求項１記載の方法。
【請求項３】  各駆動装置によって作用するプレス力を求め、この値を用いて、評価兼計算ユニットまたは評価もしくは計算ユニットに格納されたアルゴリズムによって、曲げプレスの、負荷に応じた変形特にコラム−側面６，７の弾性的な拡開および／またはプレスビームの曲げを算出し、駆動装置もしくは調節エレメントの移動調節距離を規定する、請求項１または２記載の方法。
【請求項４】  駆動装置ごとの移動調節距離を、評価兼計算ユニットまたは評価もしくは計算ユニットにおいて、データメモリに格納された、変形させようとする工作物のための材料データ、または有効加工工具長さ、または変形加工角度から求める、請求項１から３までのいずれか１項記載の方法。
【請求項５】  駆動装置ごとの移動調節距離を、評価兼計算ユニットまたは評価もしくは計算ユニットにおいて、データメモリに格納された、コラム−側面６，７の、力に起因する弾性的な拡開のための曲げプレスの機械データから求める、請求項１から４までのいずれか１項記載の方法。
【請求項６】  駆動装置ごとの移動調節距離を、評価兼計算ユニットまたは評価もしくは計算ユニットにおいて、データメモリに格納された、プレスビームの、力に起因する曲げ特性のための曲げプレスの機械データから求める、請求項１から５までのいずれか１項記載の方法。
【請求項７】  駆動装置ごとの移動調節距離を、評価兼計算ユニットまたは評価もしくは計算ユニットにおいて、データメモリに格納された、コラム−側面６，７の、力に起因する弾性的な拡開動作のためのアルゴリズムから求める、請求項１から６までのいずれか１項記載の方法。
【請求項８】  駆動装置ごとの移動調節距離を、評価兼計算ユニットまたは評価もしくは計算ユニットにおいて、データメモリに格納された、プレスビームの、力に起因する曲げ動作のためのアルゴリズムから求める、請求項１から７までのいずれか１項記載の方法。
【請求項９】  コラム−側面もしくはプレスビームの弾性的な拡開動作および／または曲げ動作を、張力測定方法および／またはひずみ測定方法および／または圧力測定方法を介して求め、評価兼計算ユニットまたは評価もしくは計算ユニットにおいて、測定データを用いて、駆動配置構造のための制御信号を作成する、請求項１から８までのいずれか１項記載の方法。
【請求項１０】  評価兼計算ユニットまたは評価もしくは計算ユニットの調整回路において、求めた実際−プレス力を、データメモリに格納された生産データ特に目標−プレス力に適合させ、適当な制御信号を、駆動配置構造のための制御装置に伝達する、請求項１から９までのいずれか１項記載の方法。
【請求項１１】  評価装置の調整回路において距離測定系を用いて求めた実際−移動調整距離を、データメモリに格納された目標−移動調整距離に適合させ、適当な制御信号を駆動配置構造のための制御装置に伝達する、請求項１から１０までのいずれか１項記載の方法。
【請求項１２】  曲げプレス特にプレスブレーキ（２）であって、該曲げプレスが、相互間隔を有する有利には２つのコラム−側面（６，７）から成る機械フレーム（５）と、定置のプレスビーム（１５）と、少なくとも２つの駆動装置（３０）を備えた駆動配置構造を介して案内配置構造（２５）内で移動調節可能なプレスビーム（１６）と、プレスビーム（１５，１６）の互いに向かい合った端面（３３，３４）にプレス加工工具を保持するための加工工具緊締装置と、駆動配置構造と接続された制御装置（４９）と、工作物を製作する際に生じる機械データたとえばプレス力または負荷データを検出するための測定装置（５０）とを備えており、制御装置（４９）が、データメモリ（５６）の設けられた評価兼計算ユニットまたは評価もしくは計算ユニット（５７）と、駆動装置（３０）のための距離制御兼調整装置（６５）とを備えている形式のものにおいて、
機械データのための検出手段（５１）が、力測定センサおよび／または圧力測定センサおよび／またはエネルギ測定センサおよび／またはひずみ測定センサ（６３，６７）によって形成されており、検出手段（５１）が、駆動装置（３０）のための供給回路たとえば圧力媒体のための圧力系および／または電気エネルギのためのエネルギ供給系（４６）に配置されていて、かつ／または制御装置（４９）および／または駆動装置（３０）に配置されていることを特徴とする、曲げプレス。
【請求項１３】  検出手段（５１）が、コラム−側面（６，７）に配置されたひずみ測定センサ（６７）もしくは圧力測定センサによって形成されている、請求項１２記載の曲げプレス。
【請求項１４】  検出手段（５１）が、プレスビーム（１５，１６）に配置されたひずみ測定センサ（６７）によって形成されている、請求項１２または１３記載の曲げプレス。
【請求項１５】  駆動装置（３０）に、距離測定装置（６６）が対応配置されている、請求項１２から１４までのいずれか１項記載の曲げプレス。
【請求項１６】  機械フレーム（５）と、移動調節可能なプレスビーム（１６）との間に距離測定装置（６６）が配置されている、請求項１２から１５までのいずれか１項記載の曲げプレス。
【請求項１７】  定置のプレスビーム（１５）と移動調節可能なプレスビーム（１６）との間に、距離測定装置（６６）が配置されている、請求項１２から１６までのいずれか１項記載の曲げプレス。
【請求項１８】  移動調節可能なプレスビーム（１６）が、定置のプレスビーム（１５）に対して、平行位置に、またはプレスビーム（１５，１６）の端面（３３，３４）間に鋭角を形成する位置に調節可能である、請求項１２から１７までのいずれか１項記載の曲げプレス。
【請求項１９】  距離制御兼調整装置（６５）が、自由にプログラミング可能な制御装置もしくは計算機によって形成されている、請求項１２から１８までのいずれか１項記載の曲げプレス。